(57)【要約】【課題】鏡胴の外側に焦点検出部を備えつつも、マニュアル操作性を損なわないようにすることができるレンズ装置を提供する。【解決手段】レンズ装置は、変倍レンズユニット２６，２７、フォーカスレンズユニット２５、及び被写体からの光束の一部を撮影面に向かう光束から分離する光束分離素子２９を含む撮影光学系を収容した鏡胴１００と、該鏡胴の外周に配置され、マニュアル操作が可能な操作部材１，２，３と、鏡胴の外側に配置され、ズームレンズユニットとフォーカスレンズユニットをそれぞれ駆動するアクチュエータ４５，５０、及び該アクチュエータを制御する制御部６０とを含むドライブユニット２００と、鏡胴の外側に配置され、光束分離素子によって分離された光束を用いて撮影光学系の焦点状態を検出する焦点検出部３１とを有する。焦点検出部は、ドライブユニットに内蔵されている。【選択図】図１
2010204316.tif 000002
【特許請求の範囲】
【請求項１】
変倍レンズユニット、フォーカスレンズユニット、及び被写体からの光束の一部を撮影面に向かう光束から分離する光束分離素子を含む撮影光学系を収容した鏡胴と、
該鏡胴の外周に配置され、マニュアル操作が可能な操作部材と、
前記鏡胴の外側に配置され、前記ズームレンズユニットと前記フォーカスレンズユニットをそれぞれ駆動するアクチュエータ、及び該アクチュエータを制御する制御部を含むドライブユニットと、
前記鏡胴の外側に配置され、前記光束分離素子によって分離された光束を用いて前記撮影光学系の焦点状態を検出する焦点検出部とを有し、
前記焦点検出部は、前記ドライブユニットに内蔵されていることを特徴とするレンズ装置。
【請求項２】
変倍レンズユニット、フォーカスレンズユニット、及び被写体からの光束の一部を撮影面に向かう光束から分離する光束分離素子を含む撮影光学系を収容した鏡胴と、
該鏡胴の外周に配置され、マニュアル操作が可能な操作部材と、
前記鏡胴の外側に配置され、前記ズームレンズユニットと前記フォーカスレンズユニットをそれぞれ駆動するアクチュエータ、及び該アクチュエータを制御する制御部とを含むドライブユニットと、
前記鏡胴の外側に配置され、前記光束分離素子によって分離された光束を用いて前記撮影光学系の焦点状態を検出する焦点検出部とを有し、
前記焦点検出部は、前記ドライブユニットの外面に沿って配置された、該ドライブユニットの筐体とは別の筐体の内部に収容されていることを特徴とするレンズ装置。
【請求項３】
前記焦点検出部の筐体と前記ドライブユニットの筐体のうち少なくとも一方には、該焦点検出部からの信号を前記制御部に入力するための電気接続部が設けられていることを特徴とする請求項２に記載のレンズ装置。
【請求項４】
前記アクチュエータと前記焦点検出部との間に電磁シールド部材が配置されていることを特徴とする請求項１から３のいずれか１つに記載のレンズ装置。
【請求項５】
請求項１から４のいずれか１つに記載のレンズ装置と、
該レンズ装置が取り外し可能に装着され、被写体の光学像を光電変換して撮影画像を生成するカメラとを有することを特徴とするカメラシステム。
【発明の詳細な説明】
【技術分野】
【０００１】
本発明は、変倍レンズユニットおよびフォーカスレンズユニットを収容する鏡胴の外側に、該レンズユニットを駆動するドライブユニットが配置されたレンズ装置に関する。
【背景技術】
【０００２】
レンズ装置には、撮影面に向かう被写体からの光束の一部をハーフミラーや全反射ミラー等の反射素子によって分離して焦点検出センサに導き、該焦点検出センサにより得られる位相差に基づいて、撮影光学系の焦点状態を検出するものがある（特許文献１参照）。
特許文献1にて開示されたレンズ装置では、反射素子にて反射した光束を焦点検出センサに導く焦点検出光学系を撮影光学系とは別に有する。焦点検出光学系と焦点検出センサは、撮影光学系を収容した鏡胴の外側に突出するように配置されている。
【先行技術文献】
【特許文献】
【０００３】
【特許文献１】特開昭５５−７６３１２号公報
【発明の概要】
【発明が解決しようとする課題】
【０００４】
しかしながら、特許文献1にて開示されたレンズ装置では、以下に述べるような課題がある。
テレビジョン放送用のポータブルレンズ装置では、使用者がマニュアルフォーカスとオートフォーカス（ＡＦ）とを併用することが多い。マニュアルフォーカスは、鏡胴の外周に回転可能に設けられた操作リングを回転させて行う。また、同様に、変倍やアイリス（絞り）の操作も操作リングの操作によって行われる場合が多い。
ただし、焦点検出光学系及び焦点検出センサが鏡胴の外側に突出していると、各操作リングを操作する手がその突出した部分に干渉するおそれがある。この場合、各操作リングの操作性が損なわれ、正確かつ迅速な操作を行うことができなくなる。
また、焦点検出センサに埃等の異物が付着すると、該センサからの出力、つまりは焦点検出結果にエラーが発生するおそれがある。このため、埃避けのためにセンサの周囲に囲いを設ける必要があるが、センサは焦点検出光学系の末端に配置されているため、そのような囲いを設けると突出部分が肥大化し、よりマニュアル操作の操作性が損なわれる。
本発明は、鏡胴の外側に焦点検出部を備えつつも、マニュアル操作性を損なわないようにすることができるレンズ装置、及びこれを備えたカメラシステムを提供する。
【課題を解決するための手段】
【０００５】
本発明の一側面としてのレンズ装置は、変倍レンズユニット、フォーカスレンズユニット、及び被写体からの光束の一部を撮影面に向かう光束から分離する光束分離素子を含む撮影光学系を収容した鏡胴と、該鏡胴の外周に配置され、マニュアル操作が可能な操作部材と、鏡胴の外側に配置され、ズームレンズユニットとフォーカスレンズユニットをそれぞれ駆動するアクチュエータ、及び該アクチュエータを制御する制御部とを含むドライブユニットと、鏡胴の外側に配置され、光束分離素子によって分離された光束を用いて撮影光学系の焦点状態を検出する焦点検出部とを有する。そして、焦点検出部は、ドライブユニットに内蔵されていることを特徴とする。
また、本発明の他の一側面としてのレンズ装置は、変倍レンズユニット、フォーカスレンズユニット、及び被写体からの光束の一部を撮影面に向かう光束から分離する光束分離素子を含む撮影光学系を収容した鏡胴と、該鏡胴の外周に配置され、マニュアル操作が可能な操作部材と、鏡胴の外側に配置され、ズームレンズユニットとフォーカスレンズユニットをそれぞれ駆動するアクチュエータ、及び該アクチュエータを制御する制御部とを含むドライブユニットと、鏡胴の外側に配置され、光束分離素子によって分離された光束を用いて撮影光学系の焦点状態を検出する焦点検出部とを有する。そして、焦点検出部は、ドライブユニットの外面に沿って配置された、該ドライブユニットの筐体とは別の筐体の内部に収容されていることを特徴とする。
【発明の効果】
【０００６】
本発明では、鏡胴の外側に配置された焦点検出部をドライブユニットに内蔵したり、ドライブユニットの外面に沿って配置された別の筐体内に収容したりする。これにより、本発明によれば、焦点検出部を鏡胴の外側に配置することによって操作部材の操作性が損なわれることを回避できる。
【図面の簡単な説明】
【０００７】
【図１】本発明の実施例1であるレンズ装置の内部構造を示す概略図。
【図２】実施例１のレンズ装置の外観を示す平面図。
【図３】本発明の実施例２であるレンズ装置に備えられたドライブユニットの内部構造を示す概略図。
【図４】図３の一部を拡大した図。
【図５】本発明の実施例３であるレンズ装置に備えられたドライブユニットの内部構造を示す概略図。
【図６】本発明の実施例４であるレンズ装置の内部構造を示す断面図。
【図７】本発明の実施例５であるレンズ装置に備えられたドライブユニットの内部構造を示す概略図。
【図８】本発明の実施例６であるレンズ装置の内部構造を示す概略図。
【図９】図８の一部を拡大した図。
【発明を実施するための形態】
【０００８】
以下、本発明の好ましい実施例について図面を参照しながら説明する。
【実施例１】
【０００９】
図１には、本発明の実施例１であるレンズ装置の構成を示す。図２は、該レンズ装置の外観を示す。
図１に示すように、レンズ装置の鏡胴１００の外側には、使用者がレンズ装置を保持する際のグリップを兼ねるドライブユニット２００が取り付けられている。鏡胴１００の外周面上には、前部（被写体側の部分）から中間部にかけて、操作部材としてのフォーカス操作リング１、ズーム操作リング２及びアイリス操作リング３が回転可能に配置されている。
鏡胴１００の後部には、エクステンダレンズ４をレンズ装置内の光路に対して挿脱するための挿脱レバー５と、レンズ装置をカメラＣに取り外し可能に装着するためのマウント６が設けられている。なお、レンズ装置とカメラＣとによりカメラシステムが構成される。
フォーカス操作リング１の外周面には、ギヤ部７とフォーカス目盛８（図２参照）が設けられている。また、ズーム操作リング２の外周面には、ギヤ部９とズーム目盛１０（図２参照）が設けられている。さらに、アイリス操作リング３の外周面には、ギヤ部１１とアイリス目盛１２（図２参照）が設けられている。
また、鏡胴１００の外周面には、フォーカス操作リング１、ズーム操作リング２及びアイリス操作リング３の操作の指標となる指標線１３，１４，１５が設けられている。
ドライブユニット２００の筐体１６は、前述したように使用者がレンズ装置を保持するためのグリップ形状を有する。
筐体１６の上面（外面）には、後述する後フォーカスレンズユニット２５をモータによって駆動するＡＦと、フォーカス操作リング１のマニュアル操作によって駆動するマニュアルフォーカスとを切り替えるための切替レバー１７が設けられている。また、筐体１６の上面には、後述する変倍レンズユニット２６，２７をモータによって駆動する電動ズームと、ズーム操作リング２のマニュアル操作によって駆動するマニュアルズームとを切り替えるための切替レバー１９が設けられている。また、筐体１６の上面には、電動ズームにおけるズーム方向とズーム速度を指示するためのシーソースイッチ１８が設けられている。
さらに、筐体１６の上面には、後述するアイリス２８の自動制御（オートアイリス）とマニュアル操作（マニュアルアイリス）とを切り替えるための切替えスイッチ２０が設けられている。また、筐体１６の上面には、切替スイッチ２０がマニュアル側に設定されているときに一時的に自動露出動作を行わせる露出スイッチ２１が設けられている。
また、筐体１６の後面（外面）には、撮影録画の開始と停止を指示するＶＴＲスイッチ２２と、ＡＦ動作の開始と停止を指示するＡＦスイッチ２３とが設けられている。
使用者がレンズ装置を肩に担いで撮影を行う場合には、右手でドライブユニット２００を握ってレンズ装置全体を保持する。マニュアルフォーカスを行う場合は、切替レバー１７をマニュアルフォーカス側に操作して、左手でフォーカス操作リング１を回す。ＡＦは、切替レバー１７をＡＦ側に操作してＡＦスイッチ２３を押すことで行われる。
マニュアルズームを行う場合は、切替レバー１９をマニュアルズーム側に倒して、左手でズーム操作リング２を回す。電動ズームは、切替レバー１９を電動側に倒して、右手でシーソースイッチ１８を操作することで行われる。
マニュアルアイリスを行う場合は、切替スイッチ２０をマニュアルアイリス側に操作して、左手でアイリス操作リング３を回す。オートアイリスは、切替スイッチ２０をオート側に操作することで、カメラＣからの露出情報に応じてアイリス２８の開口径が制御される。
次に、レンズ装置の内部構成について、図１を用いて説明する。鏡胴１００の内部には、前側から順に、前フォーカスレンズユニット２４、後フォーカスレンズユニット２５、前変倍レンズユニット２６、後変倍レンズユニット２７、アイリス２８、分離プリズム２９、及び後リレーレンズユニット３０が配置されている。分離プリズム２９と後リレーレンズユニット３０との間には、エクステンダレンズユニット４が挿脱可能に配置されている。前フォーカスレンズユニット２４〜後リレーレンズユニット３０（及び挿入されたエクステンダレンズユニット４）により撮影光学系が構成される。分離プリズム２９は、光束分離素子に相当する。
分離プリズム２９は、撮影光学系に入射した被写体からの光束の一部を、カメラＣ内の撮影面に向かう光束から分離する。具体的には、分岐プリズム２９は、半透過半反射面（ハーフミラー面）を有し、被写体からの光束の一部を反射して後述する焦点検出部としてのＡＦユニット３１に向かわせ、他の光束を撮影面に向かわせる。
カメラＣ内の撮影面には、被写体からの光束により形成された被写体の光学像を光電変換するＣＣＤセンサやＣＭＯＳセンサ等の撮像素子（図にはＣＣＤと記す）が配置されており、該撮像素子の出力信号を用いて撮影画像（映像）を生成することができる。
前フォーカスレンズユニット２４は、鏡胴１００の最も前側に配置された固定レンズユニットである。後フォーカスレンズユニット２５は、フォーカス鏡筒３２により保持され、撮影光学系の光軸方向に移動して焦点調節を行う。フォーカス操作リング１が回転すると、送りねじ等による直進駆動機構（図示せず）と連結ピン３３を介してフォーカス鏡筒３２が光軸方向に移動する。
前ズームレンズユニット２６及び後ズームレンズユニット２７は、前ズーム鏡筒３４及び後ズーム鏡胴３５によってそれぞれ保持され、光軸方向におけるそれらの位置と間隔が変化することにより変倍を行う。鏡胴１００と前ズーム鏡筒３４及び後ズーム鏡胴３５の間にはカム環３６が配置されている。ズーム操作リング２の回転に伴って連結ピン３７を介してカム環３６が回転すると、該カム環３６に形成されたカム溝と前ズーム鏡筒３４及び後ズーム鏡胴３５に設けられたカムフォロア（図示せず）との係合によって前ズーム鏡筒３４及び後ズーム鏡胴３５が光軸方向に移動する。
アイリス操作リング３とアイリス２８は連結ピン３９を介して連結されている。アイリス操作リング３が回転すると、アイリス２８の複数の絞り羽根３８が回動し、開口径が変化する。これにより、撮影光学系を通って撮影面に到達する光量が調節される。
エクステンダレンズユニット４は、挿脱レバー５が回動されると、その回動力がギヤ４３とギヤ４４を介して伝達されることで回動して、撮影光学系の光路に対して挿脱される。
ドライブユニット２００の筐体１６の内部には、フォーカス操作リング１、ズーム操作リング２及びアイリス操作リング３をそれぞれ電動駆動するためのアクチュエータとしてのフォーカスモータ４５、ズームモータ５０及びアイリスモータ５５が収容されている。また、筐体１６の内部には、各モータを制御するメイン制御部６０と、後述するＡＦユニット３１（増幅回路４１）からの信号に基づいて後フォーカスレンズユニット２５の合焦位置を算出するＡＦ制御部６１とが収容されている。メイン制御部６０とＡＦ制御部６１はそれぞれ、基板上に形成されている。
フォーカスモータ４５の出力軸に取り付けられたギヤ４６は、筐体１６に形成された開口部（図示せず）から鏡胴１００側に突出している。該ギヤ４６は、切替レバー１７がＡＦ側に操作された状態でフォーカス操作リング１のギヤ部７に噛み合っている。ただし、切替レバー１７がマニュアルフォーカス側に操作されると、ギヤ４６のギヤ部７に対する噛み合いが解除される。また、フォーカス操作リング１の回転位置を検出するためのロータリーエンコーダ４７は、ギヤ４８とアイドルギヤ４９とを介してギヤ部７に噛み合っている。
ズームモータ５０の出力軸に取り付けられたギヤ５１は、筐体１６に形成された開口部（図示せず）から鏡胴１００側に突出している。該ギヤ５１は、切替レバー１９が電動ズーム側に操作された状態でズーム操作リング２のギヤ部９に噛み合っている。ただし、切替レバー１９がマニュアルズーム側に操作されると、ギヤ５１のギヤ部９に対する噛み合いが解除される。ズーム操作リング２の回転位置を検出するためのロータリーエンコーダ５２は、ギヤ５３とアイドルギヤ５４とを介してギヤ部９に噛み合っている。
アイリスモータ５５の出力軸に取り付けられたギヤ５６は、筐体１６に形成された開口部（図示せず）から鏡胴１００側に突出している。該ギヤ５６は、切替スイッチ２０がオートアイリス側に操作された状態でアイリス操作リング３のギヤ部１１と噛み合っている。ただし、切替スイッチ２０がマニュアルアイリス側に操作されると、ギヤ５６のギヤ部１１に対する噛み合いが解除される。アイリス操作リング３の回転位置を検出するためのロータリーエンコーダ５７は、ギヤ５８とアイドルギヤ５９を介してギヤ部１１に噛み合っている。
メイン制御部６０は、マニュアルズーム及びマニュアルアイリスにおいて、ロータリーエンコーダ５２，５７の出力値をモニターしながらズームモータ５０及びアイリスモータ５５を制御する。また、メイン制御部６０は、シーソースイッチ１８の操作に応じて、ロータリーエンコーダ５２の出力値をモニターしながらズームモータ５０を制御する。また、メイン制御部６０は、ＶＴＲスイッチ２２、ＡＦスイッチ２３、切替スイッチ２０及び露出スイッチ２１の操作に応じた制御を行う。
ＡＦユニット３１は、鏡胴１００の外側に配置されている。ＡＦユニット３１は、焦点検出センサ（以下、ＡＦセンサという）４０と、分離プリズム２９にて分離された光束をＡＦセンサ４０に導く焦点検出光学系（以下、ＡＦ光学系という）４２と、ＡＦセンサ４０からの出力を増幅する増幅回路４１とを含む。
なお、図１では、ＡＦ光学系４２の一部が鏡胴１００の外周面よりも内側に位置しているが、これを除くＡＦユニット３１の大部分は鏡胴１００の外側に配置（突出）している。このような場合を含めて、本実施例では、ＡＦユニット３１が鏡胴１００の外側に配置されているという。
そして、本実施例では、ＡＦユニット３１が、ドライブユニット２００に内蔵されている。言い換えれば、ＡＦユニット３１が、ドライブユニット２００の筐体１６の内部に配置されている。
ＡＦセンサ４０は、ＡＦ光学系４２が被写体からの光束により形成した一対の像を光電変換し、該一対の像に対応した一対の像信号を生成する。増幅回路４１は、該一対の像信号を所定レベルに増幅してＡＦ制御部６１に出力する。
ＡＦ制御部６１は、一対の像信号の相関演算を行って、該一対の像信号の位相差を算出し、さらに該位相差から撮影光学系の焦点状態（デフォーカス量）を算出する。このようにして、ＡＦセンサ４０を用いて撮影光学系の焦点状態が検出される。
ＡＦ制御部６１は、算出されたデフォーカス量と変倍レンズユニット２６，２７の位置情報とから、合焦状態を得るために必要な後フォーカスレンズユニット２５（フォーカスモータ４５）の駆動方向と駆動量を算出する。ＡＦ制御部６１は、算出した駆動方向と駆動量の情報をＡ／Ｄ変換してデジタル信号としてメイン制御部６０に出力する。メイン制御部６０は、入力された駆動方向と駆動量の情報に基づいてフォーカスモータ４５を制御する。このようにして、位相差検出方式によるＡＦが行われる。
なお、ＡＦ制御部６１がメイン制御部６０に近接して配置され、かつＡＦ制御部６１でＡ／Ｄ変換したデジタル信号をメイン制御部６０に入力するようにしているので、ＡＦ制御部６１とメイン制御部６０との間の信号経路におけるノイズの影響が軽減されている。
以上説明したように、本実施例によれば、ＡＦユニット３１がドライブユニット２００に内蔵されているので、ＡＦユニット３１を設けたことによってマニュアルフォーカスやマニュアルズームの操作性が損なわれる可能性を少なくすることができる。
【実施例２】
【００１０】
図３には、本発明の実施例２であるレンズ装置のうちドライブユニットの内部構造を示している。図３において、図１に示した構成要素と共通する構成要素については図１と同符号を付して説明に代える。
本実施例では、ドライブユニット３００の筐体６２と鏡胴１００との間に防塵部材６３が配置されている。具体的には、図４に拡大して示すように、筐体６２の鏡胴１００側の端部に凹部が形成されており、該凹部に防塵部材６３が圧入されている。
防塵部材６３は、ＮＢＲやＥＶＣ等のゴム材料に形成されている。防塵部材６３は、筐体６２の端部の全周にわたって配置されて筐体６２と鏡胴１００との間で弾性変形し、筐体６２の内部と外部とを空間的に遮断している。
防塵部材６３を設けることで、実施例１に比べて、筐体６２の内部への塵や埃等の異物の侵入を防ぐ効果を高めることができ、筐体６２の内部に配置されたＡＦユニット３１（特にＡＦセンサ４０）への異物の付着によるＡＦの誤動作を回避することができる。
【実施例３】
【００１１】
図５には、本発明の実施例３であるレンズ装置のうちドライブユニットの内部構造を示している。図３において、図１に示した構成要素と共通する構成要素については図１と同符号を付して説明に代える。
実施例１のドライブユニット２００では、モータ４５，５０，５５、メイン制御部６０及びＡＦ制御部６１等を収容する筐体１６と同じ筐体１６の内部に、ＡＦユニット３１を収容した。
これに対し、本実施例では、ドライブユニット４００の筐体（以下、第１の筐体という）６４とは別の筐体（以下、第２の筐体という）６５を設け、該第２の筐体６５の内部にＡＦユニット３１を収容している。第１の筐体６４は、モータ４５，５０，５５、メイン制御部６０及びＡＦ制御部６１等を収容している。
第２の筐体６５は、第１の筐体６４の外面に沿った形状を有する。例えば、図５では、第２の筐体６５が、第１の筐体６４の後部に形成された凹部と鏡胴１００の外周面との間に収まる形状を有する場合を示している。このように、本実施例では、第２の筐体６５が、第１の筐体６４の外面に沿って配置されている。
なお、本実施例を別の見方をすれば、ドライブユニット４００の筐体を、第１の筐体６４と第２の筐体６５とに分割したとも表現することができる。この場合、筐体は分割されているが、ドライブユニット４００に、モータ４５，５０，５５、メイン制御部６０及びＡＦ制御部６１等とＡＦユニット３１とを内蔵しているとも言える。
第１の筐体（ドライブユニットの筐体）６４と第２の筐体（ＡＦユニット３１の筐体）６５（これらのうち少なくとも一方でもよい）には、ＡＦユニット３１の増幅回路４１からＡＦ制御部６１に像信号を入力するための電気接続部６６が設けられている。
第２の筐体６５の端部は、その全周が鏡胴１００の外周面と隙間がないように当接しており、第２の筐体６５の内部と外部とが空間的に遮断されている。したがって、実施例１に比べて、第２の筐体６５内への異物の侵入（ＡＦセンサ４０への異物の付着）を防ぐ効果を高めることができる。なお、実施例２と同様に、第２の筐体６５の端部と鏡胴１００の外周面との間に防塵部材を配置してもよい。
本実施例によれば、第２の筐体６５を第１の筐体６４の外面に沿って配置することで、ＡＦユニット３１（第２の筐体６５）をドライブユニット２００と一体化している。このため、ＡＦユニット３１がドライブユニット２００に内蔵された実施例１と同様に、ＡＦユニット３１を設けたことによってマニュアルフォーカスやマニュアルズームの操作性が損なわれる可能性を少なくすることができる。
また、本実施例のように筐体を別々に形成することで、第１の筐体６４（及びモータ４５，５０，５５や制御部６０，６１等）と第２の筐体６５（及びＡＦユニット３１）をそれぞれ独立して鏡胴１００に対して着脱することができる。したがって、レンズ装置の組み立て時において、ＡＦユニット３１の鏡胴１００に対する位置決め精度を容易に高めることができる。また、各筐体の部分のメンテナンス作業性を向上させることができる。
【実施例４】
【００１２】
図６には、本発明の実施例４であるレンズ装置の光軸方向に直交する断面を示している。図６において、図１に示した構成要素と共通する構成要素については図１と同符号を付して説明に代える。
実施例１のドライブユニット２００では、モータ４５，５０，５５、メイン制御部６０及びＡＦ制御部６１等を収容する筐体１６と同じ筐体１６の内部に、ＡＦユニット３１を収容した。
これに対し、本実施例では、ドライブユニット５００の筐体を、モータ４５，５０，５５、メイン制御部６０及びＡＦ制御部６１等を収容する第１の筐体６７と、ＡＦユニット３１を収容した第２の筐体６８とに分割している。第１の筐体６７と第２の筐体６８は互いに組み合わせられることによって、１つの筐体を構成する。具体的には、図６に示すように、第２の筐体６８は、第１の筐体６７に形成された開口部を閉じるように（凹形状の開口部に嵌るように）、該第１の筐体６７と組み合わせられる。本実施例では、筐体は分割されているものの、ドライブユニット５００にモータ４５，５０，５５、メイン制御部６０及びＡＦ制御部６１等とＡＦユニット３１とを内蔵している。
第１の筐体６７の開口部の端面をドライブユニット５００の筐体の外面として見れば、第２の筐体６８は、ドライブユニット５００の筐体の外面に沿って配置された（又は該外面に沿った形状を有する）、ドライブユニット５００の筐体とは別の筐体とも言える。
第２の筐体６８の端部は、その全周が鏡胴１００の外周面と隙間がないように当接しており、第２の筐体６８の内部と外部とが空間的に遮断されている。したがって、実施例１に比べて、第２の筐体６８内への異物の侵入（ＡＦセンサ４０への異物の付着）を防ぐ効果を高めることができる。なお、実施例２と同様に、第２の筐体６８の端部と鏡胴１００の外周面との間に防塵部材を配置してもよい。
また、第２の筐体６８には、ＡＦユニット３１の増幅回路４１からＡＦ制御部６１に像信号を入力するための電気接続部６６が設けられている。
さらに、上記実施例３では、ＡＦユニット３１を収容した第２の筐体６５を第１の筐体６４の後部に形成された凹部に配置した場合を示したが、本実施例では、第２の筐体６８を第１の筐体６７の下部に配置している。第２の筐体６８をこのように配置したことによって、図６に示すように、ＡＦ光学系４２からの光束の射出方向が斜め下向きになり、このまま第２の筐体６８内でＡＦセンサ４０に光束を導くと、第２の筐体６８が第１の筐体６７から下方に大きく突出してしまう。
そこで、本実施例では、ＡＦ光学系４２からの光束を反射してＡＦセンサ４０に導く反射ミラー７０を設け、該反射ミラー７０によってＡＦ光学系４２からの光束の射出方向を水平方向に変換している。これにより、第２の筐体６８が第１の筐体６７から下方に大きく突出することを回避し、ドライブユニット５００全体の大型化を抑えている。
本実施例でも、実施例３と同様に、ＡＦユニット３１（第２の筐体６８）をドライブユニット５００と一体化しているため、ＡＦユニット３１を設けたことによってマニュアルフォーカスやマニュアルズームの操作性が損なわれる可能性を少なくすることができる。
また、本実施例のように筐体を分けることで、第１の筐体６７（及びモータ４５，５０，５５や制御部６０，６１等）と第２の筐体６８（及びＡＦユニット３１）をそれぞれ独立して鏡胴１００に対して着脱することができる。したがって、実施例３でも説明したように、レンズ装置の組み立て時において、ＡＦユニット３１の鏡胴１００に対する位置決め精度を容易に高めることができる。また、各筐体の部分のサービスメンテナンスの作業性を向上させることができる。
【実施例５】
【００１３】
図７には、本発明の実施例５であるレンズ装置のうちドライブユニットの内部構造を示している。図７において、図１に示した構成要素と共通する構成要素については図１と同符号を付して説明に代える。
本実施例では、ドライブユニット７００の筐体（以下、第１の筐体という）７１の内部に、さらにＡＦユニット３１を収容する筐体（以下、第２の筐体という）７２が配置されている。第２の筐体７２には、ＡＦユニット３１の増幅回路４１からＡＦ制御部６１に像信号を入力するための電気接続部６６が設けられている。
第２の筐体７２の外面（つまりはモータ４５，５０，５５とＡＦユニット３１との間）には、電磁シールド部材７３が取り付けられている。電磁シールド部材７３は、モータ４５，５０，５５にて発生した輻射ノイズの筐体７２の内部への侵入を防ぐ。また、レンズ装置の周囲からの輻射ノイズの筐体７２の内部への侵入を防ぐことにも有効である。これにより、筐体７２の内部に配置されたＡＦセンサ４０や増幅回路４１が輻射ノイズの影響を受けてそれらの出力が乱れたりノイズ成分が増幅されたりしてＡＦの誤動作を招く可能性を少なくすることができる。
第１及び第２の筐体７１，７２の端部は、それらの全周が鏡胴１００の外周面と隙間がないように当接しており、各筐体の内部と外部とが空間的に遮断されている。したがって、実施例１に比べて、特に第２の筐体７２内への異物の侵入（ＡＦセンサ４０への異物の付着）を防ぐ効果を高めることができる。
さらに、第２の筐体７２には放熱フィン形状を有する部分が設けられており、該部分の内面には、増幅回路４１と熱的に接続された熱伝達部材７４が接触している。これにより、２重の筐体７１，７２の内部に設けられたＡＦセンサ４０や増幅回路４１を効率良く冷却し、これらが過熱状態となることを回避することができる。
そして、本実施例でも、ＡＦユニット３１がドライブユニット７００に内蔵されているので、ＡＦユニット３１を設けたことによってマニュアルフォーカスやマニュアルズームの操作性が損なわれる可能性を少なくすることができる。
【実施例６】
【００１４】
図８には、本発明の実施例６であるレンズ装置のうちドライブユニットの内部構造を示している。図８において、図１に示した構成要素と共通する構成要素については図１と同符号を付して説明に代える。
本実施例では、ＡＦユニット７５を内蔵したドライブユニット８００を、使用者によって鏡胴９００に対して着脱可能としている。そして、ドライブユニット８００には、鏡胴９００に装着される際に鏡胴９００に対する位置決めを行うための機構が設けられている。
具体的には、ドライブユニット８００の筐体７６における鏡胴９００側の端部には、鏡胴９００の前後２箇所に形成された位置決め部７９，８０に挿入される位置決めピン７７，７８が設けられている。
図９に示すように、位置決め部７９には、位置決めピン７７の外径に合った内径を有する位置決め穴７９ａが形成されている。一方、位置決め部８０には、位置決めピン７８の外径よりも光軸方向に長い位置決め長穴８０ａが形成されている。位置決めピン７７，７８を位置決め穴７９ａ，８０ａに挿入することで、ドライブユニット８００の鏡胴９００に対する光軸方向及び鏡胴周方向における位置決めを行うことができる。
ＡＦユニット７５は、取付板８３を介して筐体７６に固定されている。ＡＦユニット７５は、ＡＦセンサ４０、増幅回路４１及びＡＦ光学系４２を有するとともに、ＡＦ光学系４２の入射面を覆う保護フィルタ８２を有する。
保護フィルタ８２は、ドライブユニット８００が鏡胴９００から取り外されたときに、ＡＦ光学系４２の入射面に塵や埃等の異物が付着するのを防ぐ。
一方、鏡胴９００の外周壁には、ＡＦ光学系４２及び保護フィルタ８２を保持するＡＦ鏡筒８１が挿入される鏡筒受け部材８４が取り付けられている。鏡筒受け部材８４の内側には、鏡胴９００の内部への塵や埃等の異物の侵入を防ぐための保護フィルタ８５が配置されている。
なお、ＡＦ鏡筒８１の外径と鏡筒受け部材８４の内径は、これらが位置決めピン７７と位置決め穴７９ａとの嵌まり合いよりも緩く嵌り合うように設定されている。これにより、ドライブユニット８００の鏡胴９００に対する位置が位置決めピン７７，７８と位置決め部７９，８０によって決められると、ＡＦ鏡胴８１が鏡筒受け部８４に対して無理なく挿入される。
本実施例によれば、上記のような位置決め機構を設けることで、ＡＦユニット７５を内蔵したドライブユニット８００を鏡胴９００に装着する際のＡＦユニット７５の鏡胴９００に対する位置再現性を向上させることができる。また、ＡＦユニット７５及び鏡胴９００に保護フィルタ８２，８５を設けることで、ドライブユニット８００と鏡胴９００とが分割されたときのＡＦユニット７５及び鏡胴９００内への異物の侵入を防ぐことができる。もちろん、本実施例のように、ドライブユニット８００を鏡胴９００に対して取り外し可能とすることで、ドライブユニット８００のメンテナンス作業性を良くすることができる。
以上説明した各実施例は代表的な例にすぎず、本発明の実施に際しては、各実施例に対して種々の変形や変更が可能である。
【産業上の利用可能性】
【００１５】
鏡胴の外側に焦点検出部を備えつつも、マニュアル操作性を損なわないようにすることができるレンズ装置及びこれを備えたカメラシステムを提供できる。
【符号の説明】
【００１６】
２５  後フォーカスレンズ群
２９  分離プリズム
３１，７５  ＡＦユニット
４０  ＡＦセンサ
４１  増幅回路
４２  ＡＦ光学系
６０  メイン制御部
６１  ＡＦ制御部
６２，６４，６５，６７，６８，７１，７２  筐体
６３  防塵部材
６６  電気接続部
７０  反射ミラー
７３  電磁シールド部材
７４  熱伝達部材
７７，７８  位置決めピン
７９，８０  位置決め部
８２，８５  保護フィルタ
１００，６００，９００  鏡胴
２００，３００，４００，５００，６００，７００，８００  ドライブユニット
７００，８００  ドライブユニット
【図１】
2010204316.tif 000003
【図２】
2010204316.tif 000004
【図３】
2010204316.tif 000005
【図４】
2010204316.tif 000006
【図５】
2010204316.tif 000007
【図６】
2010204316.tif 000008
【図７】
2010204316.tif 000009
【図８】
2010204316.tif 000010
【図９】
2010204316.tif 000011